(57)【特許請求の範囲】
【請求項１】
浴室壁面に取り付けられる支持具と、この支持具に支持されるカウンターとでなり、上記の支持具が、水平状の支持片と浴室壁面に接する取付片とで鉤形に形成され、支持片を下にして浴室壁面に取り付けられ、上記のカウンターに、下方に延ばされて垂れ片が形成され、この垂れ片の下端部が上方に返されてフック状に形成されている浴室カウンターユニットであって、上記のカウンターが、支持具の支持片と、取付片の上端部とに係合する縦断面コの字形の嵌め込み部を有し、上記の取付片の上端部が前側に曲げられると共に復元性を有して形成され、上記の嵌め込み部を介して支持具に嵌め付け自在に形成されていることを特徴とする浴室カウンターユニット。
【請求項２】
浴室壁面に取り付けられる支持具と、この支持具に支持されるカウンターとでなる浴室カウンターユニットであって、上記の支持具に、下方に延ばされて垂れ下げ部が形成され、この垂れ下げ部の下端が上方に返されてフック状に形成され、カウンターが、支持具の垂れ下げ部の露見を防止するための遮蔽板部を、支持具の垂れ下げ部の前側に備えて形成されていることを特徴とする浴室カウンターユニット。
【請求項３】
請求項１又は２記載の浴室カウンターユニットに用いる吊下げ収納具であって、垂れ片の下端部又は垂れ下げ部の下端に引っ掛けるため上部がフック状に形成され、下部が収納部に形成されると共に、この収納部の最深位置に水切り孔が形成され、吊下げ時に浴室壁面に当接し、吊下げ姿勢を安定させるための当接部を有して形成されていることを特徴とする吊下げ収納具。
【請求項４】
請求項１又は２記載の浴室カウンターユニットに用いる吊下げ収納具であって、略しの字形に形成されると共に、垂れ片の下端部又は垂れ下げ部の下端に引っ掛けるため上部がフック状に形成され、吊下げ時に浴室壁面に当接し、吊下げ姿勢を安定させるための当接部を有して形成されていることを特徴とする吊下げ収納具。
【請求項５】
請求項1又は２記載の浴室カウンターユニットに用いる吊下げ収納具であって、垂れ片の下端部又は垂れ下げ部の下端に引っ掛けるため上部がフック状に形成され、下部が収納部に形成されると共に、この収納部の前端部に、手押しポンプ型ボトル容器の首部を通して吊り下げるための取付孔が形成され、上記の収納部に水切り孔が形成されていることを特徴とする吊下げ収納具。
【請求項６】
請求項２記載の浴室カウンターユニットに嵌め付けて使用する枕であって、支持具の前垂れ部の下端に係合して嵌め付け時にこの下端の裏側に配置される係合用の凸部と、カウンターの前端部に嵌め込まれる縦断面コの字形の嵌め込み凹部とを背面側に備えて形成されていることを特徴とする枕。
【発明の詳細な説明】
【０００１】
【発明の属する技術分野】
本発明は、浴室カウンターユニットに関し、更に詳しくは浴室カウンターユニット並びにこれに引っ掛けて使用する吊下げ収納具及び嵌め付けて使用する枕に関するものである。
【０００２】
【従来の技術】
従来、浴室壁面にカウンターを取り付けるための構造としては、例えばカウンターの後端を、前後方向に移動するネジで浴室壁面に押し付け、浴室壁面との間に隙間ができないように取り付けることを内容とするものがある（例えば実用新案登録第２５２８８１８号公報等参照）。
【０００３】
【発明が解決しようとする課題】
ところで従来この種のカウンターは、通常、石鹸やシャンプー容器等を上面に載置させることができるだけであり、石鹸等を入れる収納具や、入浴時に頭や背中等を休ませるための枕を、体裁良く、且つ整然と取り付けることができる構造を持つものではなかった。
従って従来、石鹸等の小物を浴室壁面に配置したい場合は、例えば吸盤付き収納具等を使用する必要があったから、従来は吸盤で壁面を汚したり、収納具の取付位置を変更する際に手間がかかる等の問題があった。
【０００４】
本発明は、このような従来の問題に鑑み、提案されたものである。
従って本発明の技術的課題は、石鹸等の小物を載置できるだけではなく、収納具を吊り下げて使用できるようにし、使い勝手が良くなるよう形成した浴室カウンターユニットを提供することにある。
【０００５】
又本発明は、この種の浴室カウンターユニットに、簡単に、又移動も容易な状態で吊るすことができる吊下げ収納具、及びこの種のユニットに嵌め付けて、入浴時に頭や背中等をあてがって休ませることができる枕を提供することを課題とする。
【０００６】
【課題を解決するための手段】
本発明は、上記の課題を解決するために、次のような技術的手段を採る。
【０００７】
即ち本発明は、図１等に示されるように、浴室壁面１に取り付けられる支持具２と、この支持具２に支持されるカウンター３とでなり、上記の支持具２が、水平状の支持片２ａと浴室壁面１に接する取付片２ｂとで鉤形に形成され、支持片２ａを下にして浴室壁面１に取り付けられ、上記のカウンター３に、下方に延ばされて垂れ片３ａが形成され、この垂れ片３ａの下端部３ａ1が上方に返されてフック状に形成されている浴室カウンターユニットであって、上記のカウンター３が、支持具２の支持片２ａと、取付片２ｂの上端部２ｂ1とに係合する縦断面コの字形の嵌め込み部３ｂを有し、上記の取付片２ｂの上端部２ｂ1が前側に曲げられると共に復元性を有して形成され、上記の嵌め込み部３ｂを介して支持具２に嵌め付け自在に形成されていることを特徴とする（請求項１）。
【０００８】
この場合上記の垂れ片３ａは、カウンター３の前側には限られず、図５に示されるように、後側に形成されているのでも良い。又この垂れ片３ａは、通常、カウンター３と合成樹脂材等で一体成形されているのが好ましいが、これに限定されるものではない。
【０００９】
而して従来この種のカウンター３を浴室壁面１に取り付ける場合は、先ず支持具２を浴室壁面１にネジ止めし、次に支持具２にカウンター３を載せて位置決めし、その後カウンター３と支持具２とをネジ止めするのが通例である。この場合、従来はカウンター３を支持具２に単に載置させた状態でネジ止めするため、このネジ止め作業時にカウンター３が位置ずれし、ネジ孔の位置合わせを再度行う必要が生じる等の不利益があった。
本発明は、このような従来の問題を解消できるものである。即ちこれによると、カウンター３を支持具２に嵌め込むことで一時的に固定できるから、ネジ止め作業時にカウンター３が位置ずれすることを防止でき、施工が簡単になり、施工コストを低減化できる。
【００１０】
又本発明の課題を達成する他の構成としては、図６、図９等に示されるように、浴室壁面１に取り付けられる支持具２と、この支持具２に支持されるカウンター３とでなる浴室カウンターユニットであって、上記の支持具２に、下方に延ばされて垂れ下げ部２１が形成され、この垂れ下げ部２１の下端２１ａが上方に返されてフック状に形成され、カウンター３が、支持具２の垂れ下げ部２１の露見を防止するための遮蔽板部３ｅを、支持具２の垂れ下げ部２１の前側に備えて形成されていることを特徴とするものがある（請求項２）。
【００１１】
この本発明の場合、垂れ下げ部２１は、支持具２の前寄りに形成されるのでも良い。又この垂れ下げ部２１は、支持具２の支持片２ａ等と共に、押し出し成形法等で一体成形されているのが好ましいが、これに限られるものではない。
【００１２】
本発明の場合は、遮蔽板部３ｅによって支持具２の垂れ下げ部２１を隠すことができ、垂れ下げ部２１が露見することによる見苦しさを解消できる。
【００１３】
又本発明の浴室カウンターユニットに用いる吊下げ収納具６としては、例えば図６に示されるように形成されるものがある。即ちこの本発明品は、カウンター３の垂れ片３ａの下端部３ａ1又は支持具２の垂れ下げ部２１の下端２１ａに引っ掛けるため上部６ａがフック状に形成され、下部が収納部６ｂに形成されると共に、この収納部６ｂの最深位置に水切り孔６ｃが形成され、吊下げ時に浴室壁面１に当接し、吊下げ姿勢を安定させるための当接部６ｄを有して形成されている（請求項３）。
【００１４】
これによると、本発明の浴室カウンターユニットに簡単に吊るすことができ、又例えば吸盤で壁面に取り付ける場合に比べ、壁面を汚すことなく使用できる。又この場合は、水切り孔６ｃを介して収納部６ｂの水を排水でき、収納部６ｂに水垢が付着することを防止できる。
【００１５】
又本発明の吊下げ収納具６としては、その他例えば図１０、図１１に示されるように、略しの字形に形成されると共に、垂れ片３ａの下端部３ａ1又は垂れ下げ部２１の下端２１ａに引っ掛けるため上部６ａがフック状に形成され、吊下げ時に浴室壁面１に当接し、吊下げ姿勢を安定させるための当接部６ｄを有して形成されているものがある（請求項４）。
【００１６】
この収納具６の場合も、上例の場合と同様、浴室カウンターユニットに、簡単に吊るして使用でき、吸盤で壁面に取り付ける場合に比べ、壁面を汚すことなく使用できる。
【００１７】
又吊下げ収納具６の更に他の構成例としては、図１４等に示されるように、垂れ片３ａの下端部３ａ1又は垂れ下げ部２１の下端２１ａに引っ掛けるため上部６ａがフック状に形成され、下部が収納部６ｂに形成されると共に、この収納部６ｂの前端部に、手押しポンプ型ボトル容器９の首部９ａを通して吊り下げるための取付孔６ｆが形成され、上記の収納部６ｂに水切り孔６ｃが形成されていることを特徴とするものがある（請求項５）。
【００１８】
この場合は、手押しポンプ型ボトル容器９を収納できるだけではなく、水切り孔６ｃから排水でき、収納部６ｂに水が溜まったり、水垢が付着することを防止できる。
【００１９】
又本発明の浴室カウンターユニットに取り付けて使用する枕１１としては、図１８等に示されるように、支持具２の前垂れ部２２の下端２２ａに係合して嵌め付け時にこの下端２２ａの裏側に配置される係合用の凸部１１ａと、カウンター３の前端部３ｆに嵌め込まれる縦断面コの字形の嵌め込み凹部１１ｂとを背面側に備えて形成されていることを特徴とするものがある（請求項６）。
【００２０】
この場合は、本発明のカウンターユニットに簡単に取り付けることができ、頭や背中等をあてがって快適に入浴できる。
【００２１】
【発明の実施の形態】
以下、本発明の好適な一実施形態を添付図面に従って説明する。
【００２２】
本発明は、図１等に示されるように、浴室壁面１に取り付けられる例えばステンレス製の支持具２と、この支持具２に支持される合成樹脂製のカウンター３とで構成されている。
上記の支持具２は、支持片２ａと取付片２ｂとで鉤形に形成され、支持片２ａを下にして浴室壁面１にネジ４で止め付けられている。又取付片２ｂの上端部２ｂ1は、前側に曲げられると共に、復元性を有して形成されている。
【００２３】
３ａは、カウンター３の前側に形成されている垂れ片である。この垂れ片３ａは、下方に延ばされてカウンター３と一体成形されている。この垂れ片３ａの下端部３ａ1は、上方に返されてフック状に形成されている。又垂れ片３ａは、カウンター３の全長にわたって形成され、フック状の下端部３ａ1は左右方向に延びて形成されている。
【００２４】
又カウンター３は、支持具２の支持片２ａと、取付片２ｂの上端部２ｂ1とに係合する縦断面コの字形の嵌め込み部３ｂを有し、この嵌め込み部３ｂを介して支持具２に嵌め付け自在に形成されている。嵌め込み部３ｂの後端の上部３ｂ1は、取付片２ｂの上端部２ｂ1の外面と係合するよう、下側に屈曲されている。又嵌め込み部３ｂを形成する中板３ｃと、支持具２の支持片２ａとは、カウンター３の下方からネジ５で止め付けられる。
【００２５】
６は、吊下げ収納具である。この吊下げ収納具６は、この実施形態ではステンレスの細い丸棒によって枠状に形成されている。又その上部６ａは、フック状に形成され、この上部６ａを介して垂れ片３ａの下端部３ａ1に引っ掛けられている。
【００２６】
次に本発明品の使用例を説明する。
先ず作業者は、支持具２の取付片２ｂを、浴室壁面１にネジ４で固定し、支持具２を浴室壁面１に取り付ける。次に作業者は、カウンター３の嵌め込み部３ｂを、支持具２の支持片２ａと、取付片２ｂの上端部２ｂ1とに合わせ、支持具２に外装させるように前方から押し込み、嵌め込み部３ｂの後端を浴室壁面１に当接させる。この場合、支持具２の取付片２ｂの上端部２ｂ1は、復元性を有するため、嵌め込み部３ｂの後端の上部３ｂ1で下方に押し込まれた後、上方に復元し、この復元力でカウンター３が支持具２に密着される。その後、作業者はカウンター３の下方からネジ５で支持片２ａと嵌め込み部３ｂの中板３ｃとを固定する。
【００２７】
而して入浴者は、吊下げ収納具６の上部６ａを垂れ片３ａの下端部３ａ1に引っ掛け、吊下げ収納具６をカウンター３の適宜位置に吊るし、シャンプー容器等をこれに載置して使用する。この実施形態の場合、垂れ片３ａの下端部３ａ1は、上記の通り、左右方向に延びて形成されている。従ってこの本発明の場合は、図３に示されるように、吊下げ収納具６を横方向にスライドさせて簡単に配置することができる。
【００２８】
以上の処において、上記の支持具２は、図４に示されるように、長手方向の適宜位置に、垂れ下げ部２１が、例えば取付片２ｂと垂直面を同一にさせて下方に延ばされ、この垂れ下げ部２１の下端２１ａが上方に返されてフック状に形成されているのでも良い。この場合は、支持具２にも収納具６を吊下げることが可能になる。又上記の垂れ片３ａは、カウンター３の前側に形成される場合には限られず、図５に示されるように、後側に形成されているのでも良い。
【００２９】
次に請求項２記載の本発明品の好適な一実施形態を、図６、図９等に従って説明する。上例と同一部材、同一箇所については、同一の符号を付し、詳しい説明は省略する。
【００３０】
この本発明品は、浴室壁面１に取り付けられる例えばステンレス製の支持具２と、この支持具２に支持されるカウンター３とでなる。
上記の支持具２は、この実施形態では図７、図８に示されるように、浴室壁面１の一方から他方にわたって架け渡すことができるよう長く形成されると共に、浴槽７に対応する位置は凹湾曲状に形成されている。
【００３１】
又上記の支持具２には、下方に延ばされて垂れ下げ部２１が一体状に形成され、この垂れ下げ部２１の下端２１ａが上方に返されてフック状に形成されている。支持具２は、この実施形態では前方に凸湾曲状に形成されている前垂れ部２２を有し、垂れ下げ部２１はこの前垂れ部２２から後方に屈曲されて形成されている。又垂れ下げ部２１は、支持具２の全長にわたって形成され、フック状の下端２１ａが、図７Ｂに示されるように、左右方向に延びて形成されている。
【００３２】
又上記のカウンター３は、この実施形態では平板状に形成され、下面の所定位置に円筒形のネジ止め部３ｄ（図６参照）が複数形成されている。又カウンター３は、この実施形態では図８に示されるように、洗い場８に対応する長板状の部分３１と、浴槽７に対応する部分３２とに分割され、ツーピース状に形成されている。そして浴槽７に対応する部分３２は、浴室に臨む長手方向の一側部が、支持具２の凹湾曲形状に合わせて円弧状に形成されている。又カウンター３は、図９に示されるように、支持具２の垂れ下げ部２１の露見を防止するための遮蔽板部３ｅを、垂れ下げ部２１の前側に備えて形成されている。
【００３３】
以上の処において、本発明の場合、支持具２の断面形状は任意であり、例えば図９に示されるように、凹溝状に形成されているのでも良い。
【００３４】
又本発明品に使用する吊下げ収納具６は、図６に示されるように、垂れ下げ部２１の下端２１ａに引っ掛けるため上部６ａがフック状に形成され、下部が収納部６ｂに形成されると共に、この収納部６ｂに水切り孔６ｃが形成されているのでも良い。水切り孔６ｃは、収納部６ｂの最深位置に、例えばスリット状に形成されている。６ｄは、吊下げ時に浴室壁面１に当接し、吊下げ姿勢を安定させるための当接部である。この当接部６ｄは、この実施形態では吊下げ収納具６の垂直壁６ｅの両側から後方に突き出され、垂直壁６ｅの上下方向にわたって形成されている。吊下げ収納具６は、この当接部６ｄによって吊下げ姿勢が安定し、石鹸等を取ったり置いたりする際の揺れが防止される。
【００３５】
又吊下げ収納具６は、図１０、図１１に示されるように、略しの字形に形成されると共に、垂れ下げ部２１の下端２１ａに引っ掛けるため上部６ａがフック状に形成されているのでも良い。この実施形態の吊下げ収納具６も、吊下げ時に浴室壁面１に当接し、吊下げ姿勢を安定させるための当接部６ｄを有して形成されている。この当接部６ｄは、吊下げ収納具６の両側の輪郭に沿って後方に突き出されて形成されている。
【００３６】
又本発明の場合、吊下げ収納具６は、図１２、図１３に示されるように、垂れ下げ部２１の下端２１ａに引っ掛けるため上端６１ａがフック状に形成されている本体部６１と、この本体部６１に高さ調節自在に取り付けられる縦断面略Ｌ字形の載置部６２とで形成されているのでも良い。
【００３７】
同図において、６１ｂは、本体部６１と載置部６２とを連結するための引っ掛け片である。この引っ掛け片６１ｂは、縦断面Ｌ字形に形成され、本体部６１の裏面の低い位置に左右一対状に突設されている。又載置部６２は、垂直板部６２ａに、上記の引っ掛け片６１ｂが通される長孔６２ｂを備えて形成されている。この長孔６２ｂは、引っ掛け片６１ｂに対応させて左右一対状に、且つ上下位置に形成されている。又本体部６１の両側と、垂直板部６２ａの背面の周囲には、吊下げ時に浴室壁面１に当接し、吊下げ姿勢を安定させるための当接部６ｄが形成されている。
【００３８】
この本発明品の場合は、先ず使用者は引っ掛け片６１ｂを長孔６２ｂに通し、載置部６２を本体部６１に吊るす。そしてこの状態で、本体部６１のフック状の上端６１ａを、支持具２の垂れ下げ部２１の下端２１ａや、カウンター３の垂れ片３ａの下端部３ａ1に引っ掛けて使用する（図１３参照）。
【００３９】
又本発明の場合、吊下げ収納具６は、図１４〜図１６に示されるように形成されているのでも良い。即ちこの吊下げ収納具６は、カウンター３の垂れ片３ａの下端部３ａ1や、支持具２の垂れ下げ部２１の下端２１ａに引っ掛けるため上部６ａがフック状に形成され、下部が収納部６ｂに形成されると共に、この収納部６ｂの前端部に、手押しポンプ型ボトル容器９の首部９ａを通して吊り下げるための取付孔６ｆが形成され、上記の収納部６ｂに水切り孔６ｃが形成されているものである。
【００４０】
取付孔６ｆは、ボトル容器９の蓋９ｂの下縁を係止できるよう凹段差状に形成されている。又水切り孔６ｃは、収納部６ｂの最深部にこの実施形態では二個形成されている。又垂直壁６ｅの両側には、吊下げ時に浴室壁面１に当接し、吊下げ姿勢を安定させるための当接部６ｄが、後方に突き出されて形成されている。
【００４１】
この収納具６は、ボトル容器９を吊下げた状態でカウンター３や支持具２に引っ掛けて使用できるだけではなく、収納部６ｂに石鹸等の小物１０（図１５参照）を収納させることができる。又収納部６ｂに入る水を、水切り孔６ｃから排水でき、水垢の付着を防止できる。
【００４２】
次に本発明の枕１１（図１７等参照）の好適な一実施形態を、添付図面に従って説明する。上例と同一部材、同一箇所については、同一の符号を付し、詳しい説明は省略する。
【００４３】
１１ａ（図１８参照）は、支持具２の前垂れ部２２の下端２２ａに係合して嵌め付け時にこの下端２２ａの裏側に配置される係合用の凸部である。この凸部１１ａは、枕１１の背面側に、横方向にわたって突条に形成されている。又１１ｂは、カウンター３の前端部３ｆに嵌め込まれる縦断面コの字形の嵌め込み凹部である。この嵌め込み凹部１１ｂは、上記の凸部１１ａと同様、枕１１の背面側に、横方向にわたって連続状に形成されている。又この実施形態では、カウンター３の前端部３ｆとの係合状態が確実になるよう、嵌め込み凹部１１ｂの下側後端に、突起１１ｃが上向き状に且つ横方向にわたって連続状に形成されている。
【００４４】
次にこの本発明品の使用例を説明する。
本発明品は、カウンター３の浴槽７に対応する部分３２の例えば中央位置に取り付けて使用する。具体的には、嵌め込み凹部１１ｂをカウンター３の前端部３ｆに合わせ、前方からカウンター３及び支持具２に押し込む。すると支持具２の前垂れ部２２が後方に反った後、復元して突っ支いとなり、支持具２の前垂れ部２２の下端２２ａの裏側に凸部１１ａが係合し、本発明品が嵌め付けられる。入浴者は、この枕１１に頭や背中、肩等をあてがって使用する。
【００４５】
【発明の効果】
以上説明したように本発明は、カウンターの垂れ片の下端部や、支持具の垂れ下げ部の下端に、吊下げ収納具を吊るすことができる。
従ってこれによれば、カウンターの上面に小物を載置できるだけではなく、吊下げ収納具によって浴室壁面を汚すことなく、石鹸等の小物を体裁良く且つ整然と配置、整理できる。
【図面の簡単な説明】
【図１】本発明品の好適な一実施形態を示す使用状態時の要部縦断面図である。
【図２】本発明品の使用状態を示す浴室の要部斜視図である。
【図３】本発明品の一部を切欠した要部正面図である。
【図４】支持具の他の実施形態を示す要部斜視図である。
【図５】本発明品の他の実施形態を示す要部縦断面図である。
【図６】支持具が懸吊機能を持つ本発明品の使用状態時の縦断面図である。
【図７】支持具を示し、Ａは一部を切欠した平面図、Ｂは正面図である。
【図８】図６の本発明品の使用状態を示す一部を切欠した要部平面図である。
【図９】図６の本発明品の他の実施形態を示す使用状態時の縦断面図である。
【図１０】吊り下げ収納具の他の実施形態を示し、Ａは正面図、Ｂは側面図である。
【図１１】図１０の吊り下げ収納具の使用状態を示す要部縦断面図である。
【図１２】吊り下げ収納具の他の実施形態を示す分解斜視図である。
【図１３】図１２の吊り下げ収納具の使用状態を示す要部縦断面図である。
【図１４】吊り下げ収納具の更に他の実施形態を示す斜視図である。
【図１５】図１４の吊り下げ収納具の使用状態を示す要部縦断面図である。
【図１６】図１４の吊り下げ収納具の使用状態を示す要部縦断面図である。
【図１７】枕の取付状態を示す一部を切欠した要部平面図である。
【図１８】図１７のXVIII―XVIII線における拡大断面図である。
【図１９】枕の取付状態を示す浴室の要部斜視図である。
【図２０】枕の背面図である。
【図２１】Ａは図２０のＡ―Ａ線における断面図、ＢはＡのＢ―Ｂ線における断面図である。
【符号の説明】
１    浴室壁面
２    支持具
３    カウンター
３ａ  垂れ片
３ａ1  下端部
【図１】
0003711933.tif 000002
【図２】
0003711933.tif 000003
【図３】
0003711933.tif 000004
【図４】
0003711933.tif 000005
【図５】
0003711933.tif 000006
【図６】
0003711933.tif 000007
【図７】
0003711933.tif 000008
【図８】
0003711933.tif 000009
【図９】
0003711933.tif 000010
【図１０】
0003711933.tif 000011
【図１１】
0003711933.tif 000012
【図１２】
0003711933.tif 000013
【図１３】
0003711933.tif 000014
【図１４】
0003711933.tif 000015
【図１５】
0003711933.tif 000016
【図１６】
0003711933.tif 000017
【図１７】
0003711933.tif 000018
【図１８】
0003711933.tif 000019
【図１９】
0003711933.tif 000020
【図２０】
0003711933.tif 000021
【図２１】
0003711933.tif 000022